(57)【要約】【課題】振動によって着信を通知するマナーモードに設定されている場合であっても、簡易な構成で、外部から振動が加わって場合に着信を確実に通知する。【解決手段】着信を通知する着信通知モードとして、着信音によって着信を通知する第１のモードと、振動によって着信を通知する第２のモードとが設定可能に構成された携帯電話機において、着信通知モードが第２のモードに設定されている場合であって、携帯電話機に外部から加わる振動の強度が閾値以上である場合に、着信通知モードを第２のモードから第１のモードに切り替える。【選択図】図１
2010021849.tif 000002
【特許請求の範囲】
【請求項１】
着信を通知する着信通知モードとして、着信音によって着信を通知する第１のモードと、振動によって着信を通知する第２のモードとが設定可能に構成された携帯電話機において、
前記着信通知モードが前記第２のモードに設定されている場合であって、前記携帯電話機に外部から加わる振動の強度が閾値以上である場合に、前記着信通知モードを前記第２のモードから前記第１のモードに切り替えることを特徴とする携帯電話機。
【請求項２】
請求項１に記載の携帯電話機において、
外部から加わる振動の強度を測定する振動測定手段と、
前記振動測定手段にて測定された振動の強度が、前記閾値以上であるかどうかを判断する振動発生判断手段と、
前記着信通知モードが前記第２のモードに設定されている場合であって、前記振動発生判断手段にて前記振動の強度が前記閾値以上であると判断された場合に、前記着信通知モードを前記第２のモードから前記第１のモードに切り替える制御手段とを有する携帯電話機。
【請求項３】
請求項２に記載の携帯電話機において、
外部から情報が入力される入力手段を有し、
前記振動発生判断手段は、前記入力手段を介して指定された情報に用いて前記閾値を設定する携帯電話機。
【請求項４】
請求項２または請求項３に記載の携帯電話機において、
前記制御手段は、前記着信通知モードを不揮発性メモリにて管理し、着信が検出された時に前記着信通知モードを揮発性メモリにコピーし、当該コピーされた着信通知モードを前記揮発性メモリから読み出すことにより、前記着信通知モードが前記第２のモードに設定されていると判断する携帯電話機。
【請求項５】
着信を通知する着信通知モードとして、着信音によって着信を通知する第１のモードと、振動によって着信を通知する第２のモードとが設定可能に構成された携帯電話機における着信通知方法であって、
外部から加わる振動の強度を測定する処理と、
前記測定された振動の強度が、前記閾値以上であるかどうかを判断する処理と、
前記着信通知モードが前記第２のモードに設定されている場合であって、前記振動の強度が前記閾値以上であると判断された場合に、前記着信通知モードを前記第２のモードから前記第１のモードに切り替える処理とを有する携帯電話機における着信通知方法。
【請求項６】
着信を通知する着信通知モードとして、着信音によって着信を通知する第１のモードと、振動によって着信を通知する第２のモードとが設定可能に構成された携帯電話機に、
外部から加わる振動の強度を測定する手順と、
前記測定された振動の強度が、前記閾値以上であるかどうかを判断する手順と、
前記着信通知モードが前記第２のモードに設定されている場合であって、前記測定された振動の強度が前記閾値以上であると判断された場合に、前記着信通知モードを前記第２のモードから前記第１のモードに切り替える手順とを実行させるためのプログラム。
【発明の詳細な説明】
【技術分野】
【０００１】
本発明は、携帯電話機、携帯電話機における着信通知方法及びプログラムに関し、特に、着信音によって着信を通知するモードと振動によって着信を通知するモードとを有する携帯電話機における着信通知技術に関する。
【背景技術】
【０００２】
近年、携帯電話機は、若者やビジネスマンのみならず、主婦や年配者も携帯電話機を所有することが多くなっており、また、子供の安全性の面から子供向けのキッズ携帯といった機種も販売されている。このような携帯電話機においては、電車等の公共の場での着信によって他人に迷惑をかけないために、一般的な電話のように着信音によって着信を通知するモードの他に、振動によって着信を通知する、いわゆるマナーモードというものが設定可能となっている。
【０００３】
そして、着信時において携帯電話機に対して強制的に振動を与えることにより、携帯電話機に内蔵された振動検出手段により振動を検出し、この振動の強さや振動数が一定範囲内にある場合に、制御部により着信音を制御することが考えられている（例えば、特許文献１参照。）。
【０００４】
ところで、最近では、セキュリティ面から携帯電話機に紛失防止策を施している場合が多い。例えば、ネックストラップ等を使って、携帯電話機が身体から離れないように工夫している場合が多い。このようにネックストラップを使って携帯電話機を持ち歩いた場合、携帯電話機は身体に固定されず、やや離れて揺れながら運ばれることになる。そのため、利用者が携帯電話機をマナーモードに設定した状態で着信があった場合、携帯電話機が、ネックストラップにより不安定な状態で持ち運ばれているため、利用者はその振動に気づかない可能性がある。
【０００５】
そこで、着信があった場合に、利用者の移動状態に応じて着信音の大きさや振動量を制御する技術が考えられている（例えば、特許文献２参照。）。この技術においては、着信音及び振動によって着信を通知するモードにおいて着信があった場合、利用者の位置や振動に応じて着信動作パターンが選択され、その着信動作パターンに応じて着信音及び振動の大きさが変化し、利用者に着信を確実に通知することができるようになる。
【特許文献１】特開２０００−１７４８５２号公報
【特許文献２】特開２００７−３００３４６号公報
【発明の開示】
【発明が解決しようとする課題】
【０００６】
しかしながら、上述したような技術においては、利用者の位置や振動に応じた着信動作パターンを予め設定しておかなければならず、特に、多数の着信動作パターンを設定しておく場合、処理が煩雑になってしまうとともに、メモリ等の記憶領域を必要以上に使用してしまうという問題点がある。
【０００７】
また、振動によって着信を通知するマナーモードに設定されている場合、振動の大きさを大きくするだけでは、携帯電話機の揺れが大きな場合、着信を利用者が認識することができるとは言い難い。
【０００８】
本発明は、上述したような技術が有する問題点に鑑みてなされたものであって、振動によって着信を通知するマナーモードに設定されている場合であっても、簡易な構成で、外部から振動が加わっている場合に着信を確実に通知することができる携帯電話機を提供することを目的とする。
【課題を解決するための手段】
【０００９】
上記目的を達成するために本発明は、
着信を通知する着信通知モードとして、着信音によって着信を通知する第１のモードと、振動によって着信を通知する第２のモードとが設定可能に構成された携帯電話機において、
前記着信通知モードが前記第２のモードに設定されている場合であって、前記携帯電話機に外部から加わる振動の強度が閾値以上である場合に、前記着信通知モードを前記第２のモードから前記第１のモードに切り替えることを特徴とする。
【００１０】
また、着信を通知する着信通知モードとして、着信音によって着信を通知する第１のモードと、振動によって着信を通知する第２のモードとが設定可能に構成された携帯電話機における着信通知方法であって、
外部から加わる振動の強度を測定する処理と、
前記測定された振動の強度が、前記閾値以上であるかどうかを判断する処理と、
前記着信通知モードが前記第２のモードに設定されている場合であって、前記振動の強度が前記閾値以上であると判断された場合に、前記着信通知モードを前記第２のモードから前記第１のモードに切り替える処理とを有する。
【００１１】
また、着信を通知する着信通知モードとして、着信音によって着信を通知する第１のモードと、振動によって着信を通知する第２のモードとが設定可能に構成された携帯電話機に、
外部から加わる振動の強度を測定する手順と、
前記測定された振動の強度が、前記閾値以上であるかどうかを判断する手順と、
前記着信通知モードが前記第２のモードに設定されている場合であって、前記測定された振動の強度が前記閾値以上であると判断された場合に、前記着信通知モードを前記第２のモードから前記第１のモードに切り替える手順とを実行させるためのプログラムである。
【発明の効果】
【００１２】
以上説明したように本発明においては、着信を通知する着信通知モードとして、着信音によって着信を通知する第１のモードと、振動によって着信を通知する第２のモードとが設定可能に構成された携帯電話機において、着信通知モードが第２のモードに設定されている場合であって、携帯電話機に外部から加わる振動の強度が閾値以上である場合に、着信通知モードを第２のモードから第１のモードに切り替える構成としたため、振動によって着信を通知する第２のモードに設定されている場合であっても、簡易な構成で、外部から振動が加わっている場合に着信を確実に通知することができる。
【発明を実施するための最良の形態】
【００１３】
以下に、本発明の実施の形態について図面を参照して説明する。
【００１４】
図１は、本発明の携帯電話機の実施の一形態を示す図である。
【００１５】
本形態は図１に示すように、無線回線を使用して送受信を行う為の無線部１１と、通常の利用者の操作では書き換えが不可能であり、携帯電話機１を動作させるためのプログラムが書き込まれている不揮発性メモリであるＲＯＭ部１９と、ＲＯＭ部１９に予め書き込まれたプログラムにより携帯電話機１を動作させる為の制御部１２と、各種メッセージ情報やユーザデータを表示する為のＬＣＤ部１３と、利用者によって外部から情報を入力することにより各種指示を行う為の入力手段であるキー入力部１４と、マナーモード設定がＯＦＦの場合、すなわち、携帯電話機１の着信通知モードが着信音によって着信を通知する第１のモードである場合に、携帯電話機１に着信があった際に着信音を鳴動する着信音鳴動部１５と、携帯電話機１に加わる外部からの振動の強度を測定する振動測定部１６と、振動測定部１６にて測定された振動の強度が閾値以上であるかどうかを判断する振動発生判断部１７と、マナーモード設定がＯＮの場合、すなわち、携帯電話機１の着信通知モードが振動によって着信を通知する第２のモードである場合に、携帯電話機１に着信があった際に振動を発生させる振動発生部１８と、制御部１２が各種動作を行う際の作業用データを一時格納する為の揮発性メモリであるＲＡＭ部２０と、利用者が選択したマナーモード設定を保存するＲＯＭ部２１とから構成されている。なお、振動発生判断部１７において、振動測定部１６にて測定された振動の強度を判断するための閾値とは、携帯電話機１に外部から加わる振動の強度の限界値を示し、携帯電話機１に外部から振動が加わった場合に、マナーモード設定を無視して利用者への着信通知モードを着信音によって着信を通知する第１のモードか振動によって着信を通知する第２のモードかを決定する為の値である。
【００１６】
また、携帯電話機１においては、無線通信回線経由の音声通話機能と、着信時において着信音ではなく振動で携帯電話機１の利用者に着信を通知する機能と、着信時において携帯電話機１の利用者に対する着信通知モードを着信音によって着信を通知する第１のモードと振動によって着信を通知する第２のモードとの何れかから選択設定及びＲＯＭ部２１に保存する機能との３つの機能を有するが、これらの機能や通信手順（プロトコル）については、本明細書では特に言及せず既知の技術が用いられるものとする。
【００１７】
上記のように構成された携帯電話機１においては、マナーモード設定を有する。マナーモード設定とは、着信時における携帯電話機１の利用者への着信通知モードを決定するものである。マナーモード設定がＯＮである場合は、着信通知モードが振動によって着信を通知する第２のモードとなり、マナーモード設定がＯＦＦの場合は、着信通知モードが着信音によって着信を通知する第１のモードとなる。
【００１８】
以下に、上記のように構成された携帯電話機１における着信通知方法について説明する。
【００１９】
図２は、図１に示した携帯電話機１における着信通知方法を説明するためのフローチャートである。
【００２０】
まず、マナーモード設定がＯＮ、すなわち、利用者への着信通知モードが振動によって着信を通知する第２のモードに設定されており、かつ、着信時において携帯電話機１に閾値以上の大きな振動が加わった場合の動作について説明する。なお、着信通知モード設定は、ＲＯＭ部２１に保存されているものとする。
【００２１】
携帯電話機１が特に機能が動作していない待ちうけ状態において（ステップＳ１）、ある相手より着信が発生すると（ステップＳ２）、制御部１２は、着信が発生したことを検知した後、ＲＯＭ部２１に設定後保存されていたマナーモード設定を、ＲＡＭ部２０の所定領域にコピーする（ステップＳ３）。
【００２２】
次に、制御部１２は、ＲＡＭ部２０よりあらためて（コピーされた）マナーモード設定を読み出す（ステップＳ４）。
【００２３】
そして、本例ではマナーモード設定がＯＮ、すなわち、着信通知モードが振動によって着信を通知する第２のモードであるため、ステップＳ６に移行する（ステップＳ５−１）。
【００２４】
携帯電話機１のマナーモード設定がＯＮ、すなわち、着信通知モードが振動による第２のモードであるため、制御部１２は、振動測定部１６により携帯電話機１に加えられた振動の強度を測定する（ステップＳ６）。
【００２５】
次に、振動発生判断部１７は、振動測定部１６にて測定された振動の強度が規定量以上、即ち閾値以上であるかどうかを判断し（ステップＳ７）、閾値以上であれば、携帯電話機１が激しく（あるいは大きく）振動している状態と判断する。その為、ステップＳ８に移行する（ステップＳ７−１）。
【００２６】
本例では携帯電話機１が激しく振動している状態である為、マナーモード設定がＯＮ、すなわち、着信通知モードが振動によって着信を通知する第２のモードのままでは利用者が着信に気づかないものと判断することになる。その為、利用者に着信に気づかせる為にマナーモード設定をこの時のみ強制的にＯＦＦ、すなわち、着信通知モードを着信音によって着信を通知する第１のモードに切り替える。具体的には、制御部１２は、ＲＡＭ部２０のマナーモード設定をＯＦＦと書き込む（ステップＳ８）。
【００２７】
その後、利用者に対して実際に着信を通知するため、制御部１２はＲＡＭ部２０より再度マナーモード設定を読み出す（ステップＳ９）。その結果、本例においてはマナーモード設定がＯＦＦであるため、制御部１２は利用者への着信通知モードを振動によって着信を通知する第２のモードから着信音によって着信を通知する第１のモードに切り替え（ステップＳ１０−１）、着信音鳴動部１５にて着信音を鳴動して利用者へ着信通知を行う（ステップＳ１１−１）。
【００２８】
着信音に気がついた利用者はオフフック操作の後、相手との通話に移行する（ステップＳ１２）。
【００２９】
次に、マナーモード設定がＯＦＦ、すなわち、利用者への着信通知モードが着信音によって着信を通知する第１のモードに設定されていた場合の動作について説明する。
【００３０】
ステップＳ１〜Ｓ４までの動作は上述したものと同様である。
【００３１】
ステップＳ４において制御部１２がＲＡＭ部２０より読み出したマナーモード設定はＯＦＦである為、ステップＳ６における振動の強度の測定には移行せず（ステップＳ５−２）、そのまま着信音を鳴動して利用者へ着信を通知する（ステップＳ１１−１）。
【００３２】
最後に、マナーモード設定がＯＮ、すなわち、利用者への着信通知モードが振動によって着信を通知する第２のモードに設定されているが、着信時において携帯電話機１に閾値以上の振動が加わらなかった場合の動作について説明する。
【００３３】
ステップＳ１〜Ｓ６までの動作は同様だが、ステップＳ６で測定された振動の強度が規定量未満、即ち閾値未満であるため、携帯電話機１が振動していない状態と判断する。そして、ステップＳ８をスキップして、ステップＳ９に移行する。この場合は、携帯電話機１が振動していない状態の為、利用者への着信通知モードを着信音によって着信を通知する第１のモードに切り替える必要なく、マナーモード設定がＯＮのまま、すなわち、着信通知モードが振動によって着信を通知する第２のモードのままでも利用者が第２のモードによる振動に気づくものと判断したことになる。
【００３４】
その為、マナーモード設定を強制的にＯＦＦ、すなわち、着信通知モードを着信音によって着信を通知する第１のモードに切り替える処置は行わず（ステップＳ７−２）、利用者に対して実際に着信を通知するため、制御部１２はＲＡＭ部２０より再度マナーモード設定を読み出す（ステップＳ９）。
【００３５】
その結果、本例では、マナーモード設定がＯＮであるため、制御部１２は利用者への着信通知モードを振動によって着信を通知する第２のモードと選択し（ステップＳ１０−２）、振動発生部１８より振動を発生させて利用者へ着信通知を行う（ステップＳ１１−２）。
【００３６】
携帯電話機１の振動に気がついた利用者はオフフック操作の後、相手との通話に移行する。（ステップＳ１２）。
【００３７】
上述したように本形態においては、携帯電話機１に外部から何らかの振動が加わった場合に、その振動から加速度や振動の強度を検出し、加速度や振動の強度が規定量以上であれば、利用者への着信通知モードを、振動によって着信を通知する第２のモードから着信音によって着信を通知する第１のモードに切り替える。そのため、マナーモード設定を有効にした状態で歩行時など振動に気づきにくい環境下においても、強制的に着信音で利用者へ着信を通知することとなり、利用者が確実に着信に気づき応答することが可能となる。
【００３８】
なお、本発明は上述した実施の形態に限定されるものでなく、携帯電話機１に限らず携帯情報端末一般にも適用可能である。また本形態では、携帯電話機１に加わっている振動を測定してその強度の判断の為に規定量となる閾値を設けているが、閾値は、メニュー設定等で強弱を調整できるように可変にしても良い。例えば、ＬＣＤ部１３に表示されたメニューを用いて利用者がキー入力部１４を介して閾値を指定すると、指定された閾値が振動発生判断部１７に設定される。
【００３９】
なお、本発明においては、携帯電話機１内の処理は上述の専用のハードウェアにより実現されるもの以外に、その機能を実現するためのプログラムを携帯電話機１にて読取可能な記録媒体に記録し、この記録媒体に記録されたプログラムを携帯電話機１に読み込ませ、実行するものであっても良い。携帯電話機１にて読取可能な記録媒体とは、フロッピーディスク、光磁気ディスク、ＤＶＤ、ＣＤなどの移設可能な記録媒体の他、携帯電話機１に内蔵されたＨＤＤ等を指す。この記録媒体に記録されたプログラムは、例えば、制御ブロックにて読み込まれ、制御ブロックの制御によって、上述したものと同様の処理が行われる。
【図面の簡単な説明】
【００４０】
【図１】本発明の携帯電話機の実施の一形態を示す図である。
【図２】図１に示した携帯電話機における着信通知方法を説明するためのフローチャートである。
【符号の説明】
【００４１】
１    携帯電話機
１１    無線部
１２    制御部
１３    ＬＣＤ部
１４    キー入力部
１５    着信音鳴動部
１６    振動測定部
１７    振動発生判断部
１８    振動発生部
１９，２１    ＲＯＭ部
２０    ＲＡＭ部
【図１】
2010021849.tif 000003
【図２】
2010021849.tif 000004